(57)【要約】      （修正有）【課題】帯状シートに情報表示部を作り、ループ状にして周回させることにより  乳幼児には従来のメリーゴーランド玩具に代替するものとして、幼稚園児、学童には学習発表用に、又  暗記用、公知用のツールとしても使用できる情報表示装置を提供する。【解決手段】ループ状に形成された情報表示部を備えた帯状シート１を、対向して設置された電動ローラー２と従動ローラー３の間に周回させる。周回速度は電動ローラー２の回転数を調整、周回方向はローラーの回転方向の切替えで可能である。電動ローラー２と従動ローラー３の設置台と、それを固定する受け台５、支柱７と台座８で構成されている。支柱は傾斜角度と高さの調整が可能である。ローラー設置台４は中央で左右に伸縮自在であると共に、従動ローラーを追加するための従動ローラー追加穴を設けた構造になっているので  従動ローラーを追加することで帯状シートの寸法を長くして多くの情報表示を行うことが出来る。【選択図】図１
0003154058.tif 000002
【実用新案登録請求の範囲】
【請求項１】
絵画、文字、写真、イラスト等の情報表示部を付したループ状の帯状シートと、この帯状シートの両端を懸架する電気的に駆動する電動ローラー及び従動ローラーと前記電動ローラー及び従動ローラーを設置する横方向に伸縮自在なローラー設置台と、このローラー設置台を取り付ける受け台とで成したことを特徴とする情報処理装置。
【請求項２】
前記ローラー設置台は、ローラー間の間隔を調整し懸架された前記ループ状の帯状シートの張力を保ち維持する調整装置を有し、且つ前記電動ローラーの回転速度と回転方向の少なくとも一つを変更するための調整装置を備えると共に、前記電動ローラーの電源をオフにして、手動にて駆動することを特徴とする請求項１記載の情報表示装置。
【請求項３】
前記受台は前後に傾斜角度を調整出来るように、支柱に軸支持されていると共に、前記支柱は高さ調整装置を有し、台座に固定されていることを特徴とする請求項１又は２記載の情報表示装置。
【請求項４】
前記帯状シートは情報表示を照射する照明器具を設け、前記支柱を前記台座から取り外し係止出来ることを特徴とする請求項1〜３のいずれか１記載の情報支持装置。
【請求項５】
前記従動ローラーは左右に複数個設置して前記電動ローラーからの前記ループ状の帯状シートを蛇行状に懸架することを特徴とする請求項１〜４いずれか１記載の
情報表示装置。
【請求項６】
前記帯状シートは情報表示部を透明粘着シートと剥離紙で構成された積層シートを使う事を特徴とする請求項１〜５いずれか１記載の情報表示装置。
【考案の詳細な説明】
【技術分野】
【０００１】
本考案は絵画、文字、写真、イラスト等の情報表示部を帯状シートに付して表示する
情報表示装置に関するものである。
【背景技術】
【０００２】
ローラーを使って絵などを自動で送り出す装置は絵画シート自動送り装置、音声付自
動紙芝居装置、電動紙芝居など種々提供されている。（例えば特許文献１、特許文献２  及び特許文献３）。
【先行技術文献】
【特許文献】
【０００３】
【特許文献１】実開昭５４−２０９８号公報
【特許文献２】特開平３−２９２９８８号公報
【特許文献３】特開２００７−２０９３７５号公報  しかしこれらはすべて、絵シート、紙芝居の物語の場面などが帯布に描かれた既成のものが所定量だけ出てくる構成になっている。したがって、遊びを作る、創造する等、使う側で絵シート、紙芝居の物語の場面などを制作する事は出来ない。
【考案の概要】
【考案が解決しようとする課題】
【０００４】
帯状シートの情報表示部をこちら側で作り、有効に利用する装置を提供すること。
情報表示部を周回させることにより  乳幼児には従来のメリーゴーランド玩具に代替するメリーとして、保育園児、幼稚園児、児童には学習発表、勉強、観察発表のツールとして提供する事。  一般的には周回する特徴を利用して暗記用ツールに、またお知らせ、注意事項、宣伝、等にも使えるツールを提供する事。
【課題を解決するための手段】
【０００５】
本考案は上記課題を解決するため、情報表示部を備えたループ状の帯状シートを、対向して設置された１つの電動ローラーと１つ以上の従動ローラーをまたいで懸架して周回させるもので、電動ローラーと従動ローラーを設置する横方向伸縮自在のローラー設置台と、これを取り付ける受け台から構成されている。ローラー設置台は、ローラー間の間隔を調整し懸架されたループ状の帯状シートの張力を保ち維持する調整装置を有し、且つ電動ローラーの回転速度と回転方向の少なくとも一つを変更するための変更装置を備えると共に、電動ローラーの電源をオフにして、手動にても駆動するものである。
【０００６】
更に本考案は、受け台が前後に傾斜角度を調整出来る様に、支柱に軸支持されている。また支柱は高さ調整が可能であり、情報表示を照射する照明器具も設けている。  又支柱を台座から取り外し、ベッドの柵等にも係止出来るようになっている。
【０００７】
更に本考案は、多くの情報量の表示が必要な場合、情報表示部を付した帯状シートを長くする。  その場合は、従動ローラーの数を図６に示すように増やし、総周回距離に合わせた寸法の帯状シートに情報を表示して懸架する。
【０００８】
又本考案は、帯状シートに情報表示部を透明粘着シートと剥離紙で構成された積層シートを使い、表示部を作成後、剥離紙を糊代分カットし、粘着接合してループ状を作る。
【０００９】
又本考案は、帯状シートの進行方向を切り替えスイッチにより替えることが出来る。  またローラー設置台の受け台を図８に示すように、９０度回転させて支柱に固定させる事により、情報表示部を付した帯状シートを横方向ではなく、縦方向に周回させる事も出来る。
【考案の効果】
【００１０】
１）請求項１により、従来のメリーゴーランド玩具は同じ情報（絵、図柄等）がグルグル回っているだけであるのに対して、本考案の情報表示装置は成長過程に応じた情報が提供できるものであり、メリーゴーランド玩具の代替として使用する事により知能開発に効果的である。
【００１１】
２）請求項２により、情報内容により周回速度を速めたり、遅くしたり、又進行方向を切り替えたりする事により、更に良い効果を生む。  又、本考案の情報表示装置の側部に音声録音再生機を添えれば、情報がより効果的に伝わる。
【００１２】
３）請求項3、４より、情報内容を常に見易い角度、高さ、照度で見ることが出来る。更に据え置き型として使用するだけでなく、取り付け型としても使用出来る。
【００１３】
４）請求項５より、更に多くの情報を提供することが出来るので、幼児、学童、学生から一般に至るまで、情報を周回させて容易に記憶に留めさせることが出来る。
【００１４】
５）請求項６より、透明粘着シートと剥離紙で構成された積層シートを使えば、コピーしたもの等を簡単に挟み込むだけで表示部を作成する事が出来る。
【図面の簡単な説明】
【００１５】
【図１】本考案の情報表示装置の正面斜視図
【図２】本考案の情報表示装置の詳細図
【図３】本考案のコントロール部  電気回路図
【図４】ローラー２個使用の本考案の正面斜視図。
【図５】ローラー２個使用の時のローラーの配置図
【図６】ローラー追加の時のローラーの配置図
【図７】ローラー追加の時の本考案斜視図
【図８】情報表示部が縦方向に周回する場合の図
【図９】積層シートの構成図  貼り方図、情報表示部作成
【図１０】情報表示部出来上がり
【図１１】ループ状の情報表示部
【考案を実施するための形態】
【００１６】
以下本考案を実施するための形態として掲げた図面に基づいて説明すると、図１は情報表示装置の斜視図であって、絵画、文字、写真、イラスト等の情報表示部を付したループ状の帯状シート１と、この帯状シート１の両端を懸架する電気的に駆動する電動ローラー２及び従動ローラー３と前記電動ローラー２及び従動ローラー３を設置する横方向に伸縮自在なローラー設置台４と、このローラー設置台４を取り付ける受台５とで成したことを特徴とする情報処理装置である。  
【００１７】
具体的には図２に示すように、ループ状に形成された情報表示部のある帯状シート１を、ローラー設置台４に、対向して設置された電動ローラー２と従動ローラー３の外周に懸架し、張力調整用長穴６のネジ留めで帯状シート１の張力を保ちローラーが回転することにより絵画・写真、イラスト、文字等で構成される情報表示部のある帯状シート１が周回する。このローラー設置台４は横方向伸縮自在であり、このローラー設置台４を取付ける受け台５から構成されていて、この形のままで据え置いても使用できると共に、ローラー設置台４を取り付けている受け台５を支柱７に軸支持し台座８に固定し、スタンド型として使用出来る。更に前記従動ローラー３の数を図６に示すように増やし、電動ローラー２からの帯状シート１を蛇行状に懸架することで周回距離が長くなるので、帯状シート１の寸法を長くしてより多くの情報を表示出来る。
【００１８】
図３は電動ローラーを駆動する電気回路であって、交流電流B の電源スイッチA 及びトランスCを介して、整流回路Dの出力と、出力調整回路Fにより、駆動するモーターEと本装置の電源スイッチ９から成る回路図である。出力調整回路Fはスピード調整用摘子１０と、モーターFの正逆転、即ち方向を切り替えるスイッチ１１とで成している。
【００１９】
使い方の例として赤ちゃんのメリーとして使用する場合であるが、図２に示すように、電動モーター２の速度調製ダイヤル１０で、表示部の内容により周回速度を速めたり遅くしたりして赤ちゃんに興味を持たせるようにする。例えばキリン等、動物、乗り物などを表示する場合は速度を速める。またリンゴ、バナナの絵、又は物語のような場合は速度をゆるめて内容を鑑賞するようにする。  イラストや貼付する写真の向きによっては  進行方向を逆にする必要も出てくるので周回進行の方向切替えスイッチ１１を設けている。尚  ローラー設置台４の受け台５と支柱７の接続部は前後に角度調節出来るように調整ネジ１２で角度調整をする。  また支柱７に高さ調整ネジ１３を各位置に差し込んで、高さ調整をする。
見易い角度で、見易い距離で、内容に適したスピードで周回する表示部を眺めることになる。
【００２０】
更に図には示していないが支柱を固定する台座８中央部又は支柱７中央、或いは受け台５中央部のいずれかに上向きに照射する照明器具を設ける。常に見やすい角度、見やすい距離、見やすい照度で周回する情報表示部を楽しめるように工夫したものである。
【００２１】
また音声録音再生機を使うことにより、赤ちゃんに使用する場合は情報表示部にマッチした童謡や、癒しの音楽、更に録音した母親の優しい話しかけ等を繰り返し流すことにより一層効果的に赤ちゃんの頭脳に色々な知識が吸収されていく。尚  支柱７の固定部を台座８から取り外してベッド等に係止させる事も出来る。  
【００２２】
保育園児、幼稚園児、小学生が発表用に使う場合も含め、情報表示部の量により更に長いシートを要する場合は図６に示すように従動ローラー３を3個追加する。追加するローラーは図５に示すようにローラー設置台４に作られた従動ローラー追加挿入穴１４に挿入し、追加の従動ローラー１５をまたぐように懸架する。図６のように３個追加して、図７に示すようにローラー設置台４を限度までオープンにすることにより  およそ３倍の長さを確保することが出来るため、情報量もかなり増やすことが出来る。  追加の従動ローラー１５は脱着可能なローラーである。  また電動ローラー２への電源をオフにして手動にて駆動させる事が出来るので、状況に合わせて使い分けることが出来る。
【００２３】
図８は周回方向を横方向から縦方向にする場合の図であって、ローラー設置台４の受け台５を９０度回転させて支柱７に固定させる事により、情報表示部を付した帯状シート１を左右、横方向ではなく、上下、縦方向に周回させる事が出来る。
【００２４】
図９は帯状シート１の構成を示す図である。普通の模造紙や、A-4サイズの用紙を使って  絵の具やマーカーで絵や文章を書いたり、ワープロで書いたものを使うことも出来るが  写真やイラストなどをプリントアウトして表示する場合、  簡単に表示する一例として図９に示したような粘着材を塗布した透明粘着フィルム１６と剥離紙１７で構成されている積層シートを使用する。  剥離紙１７をはがし  透明粘着フィルム１６に写真、絵画、イラスト、文字、数字、切り絵などを裏向きに並べる、又は物語を構成するように配置しそれらを保護するように再度剥離紙１７でカバーする。図１０は積層シート上に情報表示を成したものである。  普通の用紙に絵や文字を書いて物語を表現することも出来る。前記積層シートであるが、図９で示すように、規定の寸法に前もって糊代分だけ剥離紙１７に糊代分１８の切れ目を入れておく。透明粘着フィルム１６に情報表示した後、糊代分の剥離紙１７をはがして粘着接合させ図１１に示すようにループ状を形成する。暗記用、お知らせ用に使う場合などはワープロで書いたものを帯状シート１に両面テープで部分的に貼り付けて周回させる。
【００２５】
その他の情報表示の例として、従来のメリー玩具の代替として使う場合は  赤ちゃんが身近で見た物の絵、写真、テレビで見た絵、写真、家族の写真、外出した時の写真、公園の遊具、身近な動物、花や木、好きな絵本の絵、テレビで見る子供番組の絵、イラストなど限りなく存在するものを月齢、成長、赤ちゃんが好きなもの、こういうものに興味を持って欲しい思うもの等を帯状シート１上に展開する。それらを頭脳の成長に必要な最適の刺激として最適の時期に、各家庭の環境、赤ちゃんの月齢、成長に合わせて、また赤ちゃんの体験、経験に合わせて、親しみやすい教材として音声と共に繰り返し目の前を周回させる。一例としてリンゴの絵の下にりんご、ぶどうの絵の下にぶどう、バナナの絵の下にバナナと書いておくと自然と文字も絵として赤ちゃんの頭脳に入っていく。しかも繰り返し見ること、聞くことで知識が自然と増え、理解力が増し、情報表示部が周回することで次は何が出てくるかという想像力も培われる。また別の例として赤ちゃんが病院に行ったときなど体験したことを活かしてそれに関する絵、イラストなどを集め  音声録音再生機で解りやすく話しかけてあげれば、それを繰り返し見る、聞くことにより赤ちゃんは色々な知識を広げて行くことが出来て将来の学習の能力の土台を形成するという大きな利点がある。
【００２６】
又保育園、幼稚園、小学校ではそれぞれの発表の場で使える。帯状シート１に夏休みの
宿題の観察日記、研究発表などを表示し、他の児童の前で発表する時のツールとして使う。  将来大きくなってからプレゼンテーションをする時の能力が幼少の頃から養われていく。また  暗記用ツールとしても家庭で使うことが出来る。  学生など試験前に、特に覚えにくい事柄などを書いて周回させることにより、覚えにくい事も楽に覚えられる様になる。更に幅広く、宣伝、お知らせ、注意呼びかけ、等にも使うことが出来る。
【符号の説明】
【００２７】
１    情報表示部のある帯状シート    
２    電動ローラー
３    従動ローラー
４    ローラー設置台        
５    受け台      
６    張力調整用長穴          
７    支柱    
８    台座    
９    電源スイッチ
１０    速度調整ダイヤル
１１    方向切替えスイッチ
１２    角度調整ネジ
１３    高さ調整ネジ
１４    従動ローラー挿入穴
１５    追加従動ローラー      
１６    透明粘着フィルム
１７    剥離紙
１８    剥離紙糊代分        
A     交流電源
B     100V 交流
C     変圧器
D     整流器
E     モーター
F     出力調整回路
【図１】
0003154058.tif 000003
【図２】
0003154058.tif 000004
【図３】
0003154058.tif 000005
【図４】
0003154058.tif 000006
【図５】
0003154058.tif 000007
【図６】
0003154058.tif 000008
【図７】
0003154058.tif 000009
【図８】
0003154058.tif 000010
【図９】
0003154058.tif 000011
【図１０】
0003154058.tif 000012
【図１１】
0003154058.tif 000013
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
絵画、文字、写真、イラスト等の情報表示部を付したループ状の帯状シートと、この帯状シートの両端を懸架する電気的に駆動する電動ローラー及び従動ローラーと前記電動ローラー及び従動ローラーを設置する横方向に伸縮自在なローラー設置台と、このローラー設置台を取り付ける受け台とで成したことを特徴とする情報表示装置。
【請求項２】
前記ローラー設置台は、ローラー間の間隔を調整し懸架された前記ループ状の帯状シートの張力を保ち維持する調整装置を有し、且つ前記電動ローラーの回転速度と回転方向の少なくとも一つを変更するための調整装置を備えると共に、前記電動ローラーの電源をオフにして、手動にて駆動することを特徴とする請求項１記載の情報表示装置。
【請求項３】
前記受台は前後に傾斜角度を調整出来るように、支柱に軸支持されていると共に、前記支柱は高さ調整装置を有し、台座に固定されていることを特徴とする請求項１又は２記載の情報表示装置。
【請求項４】
前記帯状シートは情報表示を照射する照明器具を設け、支柱を台座から取り外し係止出来ることを特徴とする請求項３記載の情報表示装置。
【請求項５】
前記従動ローラーは左右に複数個設置して前記電動ローラーからの前記ループ状の帯状シートを蛇行状に懸架することを特徴とする請求項１〜４いずれか１記載の
情報表示装置。
【請求項６】
前記帯状シートは情報表示部を透明粘着シートと剥離紙で構成された積層シートを使う事を特徴とする請求項１〜５いずれか１記載の情報表示装置。
【手続補正書】
【提出日】平成21年8月3日(2009.8.3)
【手続補正１】
【補正対象書類名】実用新案登録請求の範囲
【補正対象項目名】全文
【補正方法】変更
【補正の内容】
【実用新案登録請求の範囲】
【請求項１】
絵画、文字、写真、イラスト等の情報表示部を付したループ状の帯状シートと、この帯状シートの両端を懸架する電気的に駆動する電動ローラー及び従動ローラーと前記電動ローラー及び従動ローラーを設置する横方向に伸縮自在なローラー設置台と、このローラー設置台を取り付ける受け台とで成したことを特徴とする情報表示装置。
【請求項２】
前記ローラー設置台は、ローラー間の間隔を調整し懸架された前記ループ状の帯状シートの張力を保ち維持する調整装置を有し、且つ前記電動ローラーの回転速度と回転方向の少なくとも一つを変更するための調整装置を備えると共に、前記電動ローラーの電源をオフにして、手動にて駆動することを特徴とする請求項１記載の情報表示装置。
【請求項３】
前記受け台は前後に傾斜角度を調整出来るように、支柱に軸支持されていると共に、前記支柱は高さ調整装置を有し、台座に固定されていることを特徴とする請求項１又は２記載の情報表示装置。
【請求項４】
前記帯状シートは情報表示を照射する照明器具を設け、支柱を台座から取り外し係止出来ることを特徴とする請求項３記載の情報表示装置。
【請求項５】
前記従動ローラーは左右に複数個設置して前記電動ローラーからの前記ループ状の帯状シートを蛇行状に懸架することを特徴とする請求項１〜４いずれか１記載の  情報表示装置。
【請求項６】
前記帯状シートは情報表示部を透明粘着シートと剥離紙で構成された積層シートを使う事を特徴とする請求項１〜５いずれか１記載の情報表示装置。